(57)【要約】【課題】施工性が良い建具を提供する。【解決手段】本発明にかかる建具１は、パネル６１と、押縁６５と、枠６３とを備えており、パネル６１は可撓性を有し、押縁６５はパネル６１に当接するビード６９を有し、枠６３は上下左右にパネルの呑み込み溝６７ｂ、６７ｃ、６７ａ、６７ｄを有し、左右一方の呑み込み溝６７ａは、他方の呑み込み溝６７ｄよりも深く形成してあり且つ押縁６５でパネル端部を呑み込み溝６７ａ内に止めてある。【選択図】図１
2018017094.tif 000002
【特許請求の範囲】
【請求項１】
パネルと、押縁と、枠とを備え、パネルは可撓性を有し、押縁はパネルに当接するビードを有し、枠は上下左右にパネルの呑み込み溝を有し、左右一方の呑み込み溝は、他方の呑み込み溝よりも深く形成してあり且つ押縁でパネル端部を呑み込み溝内に止めてあることを特徴とする建具。
【発明の詳細な説明】
【技術分野】
【０００１】
本発明は、建具に関する。
【背景技術】
【０００２】
特許文献１には、枠の上下左右にパネルの呑み込み溝を形成して、パネルの四周端部を各呑み込み溝に呑み込ませて、パネル四周の端部をそれぞれ押縁で呑み込み溝内に止めることが開示されている。
【先行技術文献】
【特許文献】
【０００３】
【特許文献１】特開２００４−３０８２９５号公報
【発明の概要】
【発明が解決しようとする課題】
【０００４】
しかし、枠にパネルを取り付けるときに、パネルの四方に押縁を取り付ける構造のため、施工性が悪いという問題があった。
【０００５】
そこで、本発明は、施工性が良い建具の提供を目的とする。
【課題を解決するための手段】
【０００６】
請求項１に記載の発明は、パネルと、押縁と、枠とを備え、パネルは可撓性を有し、押縁はパネルに当接するビードを有し、枠は上下左右にパネルの呑み込み溝を有し、左右一方の呑み込み溝は、他方の呑み込み溝よりも深く形成してあり且つ押縁でパネル端部を呑み込み溝内に止めてあることを特徴とする建具である。
【発明の効果】
【０００７】
請求項１に記載の発明によれば、パネルは左右一方のみを押縁で止めてあり、残りの３方はパネルを呑み込み溝に呑み込ませる構成なので、施工性が良い。
【図面の簡単な説明】
【０００８】
【図１】本発明の実施の形態にかかる建具であって、図８に示すＡ−Ａ断面図である。
【図２】本発明の実施の形態にかかる建具であって、引戸の戸先側を示す斜視図である。
【図３】図２に示す締め切部品と戸先框を抜き出して示す斜視図である。
【図４】本発明の実施の形態にかかる建具であって、引戸を開いた状態として図８に示すＢ−Ｂ位置で切断して示す断面図である。
【図５】本発明の実施の形態にかかる建具であって、図８に示すＣ−Ｃ断面図である。
【図６】本発明の実施の形態にかかる建具であって、図８に示すＥ−Ｅ断面図である。
【図７】本発明の実施の形態にかかる建具であって、戸袋におけるパネルの取り付け方法を説明する図であり、（ａ）（ｂ）（ｃ）は取り付け順序毎に示す縦断面図であり、（ｄ）（ｅ）（ｆ）は取り付け順序毎に示す横断面図である。
【図８】本発明の実施の形態にかかる建具を浴室側から見た正面図である。
【発明を実施するための形態】
【０００９】
以下に、添付図面を参照して本発明の実施の形態を説明する。
図１及び図８に示すように、第１実施の形態にかかる建具１は、浴室戸であり、枠３と引戸５と、戸袋７とを備えている。
図１及び図４に示すように、枠３は、上枠９、下枠１１、戸先側縦枠１３と戸尻側縦枠１５とを枠組みしてあり、上枠９と下枠１１とには、戸先側縦枠１３と戸尻側縦枠１５との間に設けた戸袋縦枠１７が連結してある。
図１に示すように、上枠９と下枠１１間において、戸袋縦枠１７と戸先側縦枠１３との間が浴室の出入口となっており、戸袋縦枠１７と戸尻側縦枠１５との間が戸袋７としてある。
図４に示すように、戸袋縦枠１７と戸尻側縦枠１５との間において、上枠９の浴室側には戸袋上枠１９が取り付けてあり、下枠１１の浴室側には戸袋下枠２１が取り付けてある。
【００１０】
図１に示すように、戸先側縦枠１３には枠３の内周側に突出する突片２２が上下方向に亘って設けてある。突片２２の内周側端２２ａは、浴室側に向けて屈曲してあり、横断面が略Ｌ字形状を成している。
また、戸先側縦枠１３には突片２２よりも浴室側に、内周側に突出する目隠し突片２４が設けてある。この目隠し突片２４は引戸５を閉じたときに後述する引戸５の戸先框２３の浴室側に位置するものである。
図１及び図４に示すように、引戸５は戸先框２３と、戸尻框２５と、上框２７及び下框２９を四周に組んで内周にパネル３１が取り付けてある。
戸尻框２５と戸袋縦枠１７には、引戸５を閉じたときに係合する煙り返し３３が設けてある。
図１及び図２に示すように、戸先框２３には、引戸５が閉じたときに戸先側縦枠１３の突片２２に係合する係合部品３７が設けてある。係合部品３７は、戸先框２３において、パネル３１を取り付けるパネル取付部３９よりも浴室側に形成された係合部品保持溝４１に保持されている。
図２及び図３に示すように、係合部品３７は、戸先框２３の見込面の長手方向（上下方向）の一部に設けてあり、本実施の形態では係合部品保持溝４１の上下方向の中間部に設けてある。係合部品保持溝４１の溝壁４１ａ、４１ｂには、係合部品３７が係合する突条４３が対向して形成してある。
【００１１】
図１及び図３に示すように、係合部品３７は、樹脂製であり、一体に形成した係合部４７と、基部４９とを備えている。基部４９は、係合部品保持溝４１の浴室側溝壁４１ａに沿う浴室側部４９ａと、脱衣室側溝壁４１ｂに沿う脱衣室側部４９ｂと、溝底４１ｃに対向する底部４９ｃと、係合部４７の上面を覆う覆い部４９ｄを有し、内部は空間としている。
係合部４７は、基部４９の浴室側部４９ａと脱衣室側部４９ｂとの間で底部４９ｃから突片２２側へ突出しており、浴室側へ凹み状に湾曲した湾曲部４７ａと、湾曲部４７ａの先端側で先端側ほど浴室側に向けて傾斜した傾斜面４７ｃを有する先端部４７ｂとを備えている。
係合部品３７において、基部４９の浴室側部４９ａには、係合部４７の浴室側を覆う覆い部４９ｄが設けてあり、覆い部４９ｄの上面（図３参照）は、戸先側縦枠１３側ほど下方に傾斜した傾斜面５１となっている。
【００１２】
図２に示すように、戸先框２３の係合部品保持溝４１には、その上端と下端とに各々キャップ５３が取り付けてある。上端のキャップ５３と係合部品３７との間にはタイト材５５が配置されており、下端のキャップ５３と係合部品３７との間には目板５７が配置されている。タイト材５５及び目板５７はそれぞれ、係合部品保持溝４１の突条４３に係合して保持されている。  
図６に示すように、引戸５を閉じた状態では、目板５７は、突片２２との間に隙間を形成しており、戸先側縦枠１３の突片２２及び目隠し突片２４と、戸先框２３との間で、じぐざぐの通気路を形成して浴室内の換気を図るようにしてある。
【００１３】
次に、戸袋７について説明する。  
図１に示すように、戸袋７は、パネル６１と、枠６３と、押縁６５とを備えている。  
パネル６１は可撓性を有する部材であり、例えば、樹脂製である。
図１及び図４に示すように、戸袋７の枠６３は、本実施の形態では、上述した戸袋縦枠１７と、戸袋上枠１９と、戸袋下枠２１と、戸尻側縦枠１５とで構成されており、パネル６１の四周を囲んでいる。  
戸袋縦枠１７と、戸袋上枠１９と、戸袋下枠２１と、戸尻側縦枠１５とには、各々パネル端部を呑み込む呑み込み溝６７ａ、６７ｂ、６７ｃ、６７ｄが形成されている。  
戸袋縦枠１７の呑み込み溝（左右一方の呑み込み溝）６７ａの深さＷ１は、戸尻側縦枠１５の呑み込み溝（左右他方の呑み込み溝）６７ｄの深さＷ２よりも深く形成してある。戸袋縦枠１７の呑み込み溝（左右一方の呑み込み溝）６７ａには、パネル６１の端部が押縁６５で止めてある。押縁６５には、パネル６１に当接するビード６９が取り付けてある。
戸尻側縦枠１５の呑み込み溝（左右他方の呑み込み溝）６７ｄには、パネル６１の端部を保持するパネル端部保持部材７１が設けてある。パネル端部保持部材７１は、軟質又は半硬質の樹脂製である。このパネル端部保持部材７１には、パネル端部を受けるパネル端部受け７１ｂと、パネル６１の端部の浴室側面に弾性変形可能に当接するパネル面当接部７１ａが一体に形成されている。
図４に示すように、戸袋上枠１９のパネル端部の呑み込み溝６７ｂと、戸袋下枠２１のパネル端部の呑み込み溝６７ｃとは、略同じ深さとしてあり、戸袋下枠２１のパネル端部の呑み込み溝６７ｃの溝底６８にパネル６１の下端が載置された状態で、戸袋上枠１９のパネル端部の呑み込み溝６７ｂの溝底６８とパネル上端との間に僅かな隙間ができる状態で取り付けてある。
【００１４】
次に、引戸５の開閉操作について説明する。
図１に示すように、引戸５を開き位置から閉じ操作する時に、引戸５を戸先側縦枠１３に向けて走行すると、引戸５の戸先框２３に設けた係合部品３７が戸先側縦枠１３の突片２２に近づき、係合部４７の先端部４７ｂが突片２２の内周側端２２ａに当接する。係合部４７の傾斜面４７ｃは、突片２２に押されて湾曲部４７ａが弾性変形して、先端部４７ｂが突片２２の内周側端２２ａを乗り上げた後、弾性復帰して湾曲部４７ａの凹み内に収まり、係合状態となる。
係合部４７が突片２２に係合した状態では、係合部４７の先端部４７ｂは突片２２の内周側端２２ａよりも外周側に位置しており、引戸５を閉めた時に跳ね返ろうとしたときには、係合部４７の先端部４７ｂが突片２２の内周側端２２ａに突き上げられて弾性変形しようとするが形状を維持しようとする抗力により係合が維持されて、引戸５の締め切り状態を維持する。
引戸５を閉め切り状態から、開く場合には、係合部４７の先端部４７ｂが突片２２の内周側端２２ａを乗り越えるように、係合部４７が弾性変形する力よりも大きな力で引戸５を引いて開く。この場合、係合部品３７は戸先框２３の長手方向の一部にのみ設けてあるので、係合部４７が弾性変形する為の力は、戸先框２３の長手方向全部に係合部品３７を設けている場合に比較して、小さくできる。
【００１５】
次に、図７を参照して、戸袋７におけるパネル６１の取り付けについて説明する。
図７（ａ）に示すように、パネル６１の上端６１ｂを、戸袋上枠１９の呑み込み溝６７ｂに挿入し、次に図７（ｂ）に示すように、パネル６１をその弾性により上下方向に少し撓ませてパネル６１の下端６１ｃを戸袋下枠２１の呑み込み溝６７ｃに挿入し、図７（ｃ）に示すように、パネル６１の下端６１ｃを呑み込み溝６７ｃの溝底に載置する。なお、図７（ｃ）の状態を横断面で見ると、図７（ｄ）に示すようにパネル６１の戸袋縦枠側端６１ａは、戸袋縦枠１７に近接した状態で納めてある。
次に、図７（ｄ）に示すように、パネル６１の戸尻側縦枠側端６１ｄを、矢印で示すように戸尻側縦枠１５のパネル端部保持部材７１側に向けて水平移動し、図７（ｅ）に示すように、パネル端部保持部材７１のパネル端部受け７１ｂに嵌め入れる。
その後、図７（ｆ）に示すように、ビード６９を付けた押縁６５でパネル６１の戸袋縦枠１７側端６１ａを戸袋縦枠１７の呑み込み溝６７ａに止める。
【００１６】
本実施の形態にかかる建具の作用効果について説明する。
図１に示すように、上述した実施の形態によれば、引戸５を閉める際には、引戸５の戸先框２３に設けた係合部品３７の係合部４７が、戸先側縦枠１３の突片２２に弾性係合するので引戸５が跳ね返らずに閉め切ることができる。  
係合部品３７は、戸先框２３の上下方向の一部に設けてあるから、図６に示すように、他部（例えば、下部）に、換気構造を取り易い。
図２に示すように、係合部品３７は、戸先框２３の上下方向の一部に設けてあり、全部に設けていないので、係合部４７と突片２２との弾性係合領域が少なくて済むから、引戸５を開くときに大きな力を必要とすることなく、開くことができる。
【００１７】
図３に示すように、係合部品３７は、戸先框２３の浴室側（見込方向一側）に係合部４７を覆う覆い部４９ｄが設けてあるから、浴室側から見たときに係合部４７が目立たないように隠すことができる。
係合部品３７において、覆い部４９ｄの上面は、戸先側縦枠１３側を下にして傾斜する傾斜面５１としているので、覆い部４９ｄの上面に落ちてきた水を戸先側縦枠１３の浴室側へ誘導することができる。
図２に示すように、戸先框２３の長手方向中間部に係合部品３７が設けてあり、係合部品３７は、その上部のタイト材５５のズレ落ちを兼ねていると共に、その下部には目板５７が配置されており、戸先框２３の下端部にキャップ５３が設けてあるから、係合部品３７、タイト材５５及び目板５７の各部品のズレ落ちを防止できる。
係合部品３７は、戸先框２３の長手方向の中央部に設けてあるから、引戸５を開く際に引戸５に回転方向の力が作用しないで済むから引戸５の転びを防止できる。
図１に示すように、戸先側縦枠１３には、戸先框２３より浴室側の位置に、戸先側縦枠１３の内周側へ突出する目隠し突片２４を設けているので、係合部品３７を浴室側から目立ち難くできる。また、係合部品３７の覆い部４９ｄが目隠し突片２４に隠れることで、引戸５の閉じ切りが目視でも分かる。
引戸５を閉めたときに、係合部品３７の係合部４７が突片２２に弾性係合したときに、係合部４７が弾性変形した後に弾性復帰することにより、閉じ切った感覚（クリック感）を得ることができる。
【００１８】
また、図１及び図４に示すように、本実施の形態によれば、戸袋７において、パネル６１は戸袋縦枠１７側のみ（左右一方のみ）を押縁６５で止めてあり、残りの３方はパネルを呑み込み溝６７ｂ、６７ｃ、６７ｄに呑み込ませる構成なので、施工性が良い。
パネル６１の交換時には、全ての押縁６５を取り外す必要があるが、本実施の形態では、押縁の本数を減らしているので、更にパネル６１の交換時の施工性が良い。
パネル６１を止める押縁に、ビード６９付き押縁６５を用いているので、パネル６１や押縁６５の公差を吸収できる。また、押縁６５と別体のビードを用いた場合には、パネル交換時にビードを外すときに押縁が傷付く場合があるが、ビード６９付き押縁６５を用いることにより、このような押縁の傷付きを防止できる。
【００１９】
戸尻側縦枠（枠）１５の呑み込み溝６７ｄ（左右他方の呑み込み溝）に、パネル６１の端部を保持する軟質又は半硬質のパネル端部保持部材７１を設けると共にパネル端部保持部材７１には弾性変形可能なパネル面当接部７１ａを設けているので、戸尻側縦枠１５の呑み込み溝６７ｄにおいてパネル６１を呑み込む間口寸法が大きかったり小さかったり、パネル６１の厚みが厚かったり薄かったりしても、パネル端部保持部材７１のパネル面当接部７１ａが弾性変形することでパネル６１を取り付ける際の影響を吸収することができる。例えば、戸尻側縦枠（枠）１５とパネル６１との間に隙間が生じたり、嵌合ができなくなる等の不都合を防止できる。
【００２０】
本発明は、上述した実施の形態に限らず、本発明の要旨を逸脱しない範囲で種々変形可能である。  
例えば、建具１は、浴室戸に限らず、玄関引戸、建物内の部屋等を仕切る引戸、出入口サッシであっても良い。建具１が玄関引戸や出入口サッシの場合には、上述した実施の形態において浴室側を室外側にする。
引戸５の戸先框２３に設ける係合部品３７は、パネル３１を取り付けているパネル取付部３９側の見込面に設けて、戸先側縦枠１３にはその係合部品３７に対向する位置に突片２２を設けても良い。
係合部品３７は、戸先框２３の見込面の長手方向の一部に設ければ良く、例えば、上下方向の中央部を除いて上側部と下側部とに合計２つ設けても良いし、上側部と中央部と下側部とに互いに間隔をあけて合計３つ設けてもよく、数は限定されない。
戸袋７において、押縁６５に設けるビード６９は、押縁６５と一体にして押縁６５の一部として先付けで使用することに限らず、押縁６５とは別にして後付けにしても良い。
戸袋７において、戸尻側縦枠１５の呑み込み溝６７ｄを戸袋縦枠１７の呑み込み溝６７ａよりも深く形成すると共に戸袋縦枠１７の呑み込み溝６７ａにパネル６１の端部をのみ込ませて、戸尻側縦枠１５の呑み込み溝６７ｄに配置したパネル６１の端部を押縁６５で止める構成としても良い。
【符号の説明】
【００２１】
１    建具
６１  パネル
６３  枠
６５  押縁
６７ａ  戸袋縦枠の呑み込み溝（左右一方の呑み込み溝）
６７ｂ  戸袋上枠の呑み込み溝（上の呑み込み溝）
６７ｃ  戸袋下枠の呑み込み溝（下の呑み込み溝）
６７ｄ  戸尻側縦枠の呑み込み溝（左右他方の呑み込み溝）
６９  ビード
【図１】
2018017094.tif 000003
【図２】
2018017094.tif 000004
【図３】
2018017094.tif 000005
【図４】
2018017094.tif 000006
【図５】
2018017094.tif 000007
【図６】
2018017094.tif 000008
【図７】
2018017094.tif 000009
【図８】
2018017094.tif 000010